(57)【要約】【課題】機動性に優れると共に、収差が良好に補正された結像レンズ系及びそれを備えた撮像装置を提供すること。【解決手段】結像レンズ系は、光軸に沿って物体側から像側に順に、正屈折力を有する前側レンズ群と後側レンズ群とを有し、光軸上に他のレンズ群を含まず、前側レンズ群は、物体側から像側に順に、正屈折力を有する第１レンズ群と負屈折力を有する第２レンズ群とを有し、第１レンズ群と第２レンズ群の各々は、正レンズと負レンズとを有し、第２レンズ群は合焦レンズ群であり、合焦レンズ群は、無限遠物体から近距離物体への合焦動作の際に光軸に沿って像側に移動し、後側レンズ群は、正レンズと負レンズとを有し、前側レンズ群において移動するレンズ群は第２レンズ群のみであり、以下の条件式（１）、（２’）を満足することを特徴とする。  ０．５＜ｆFF／ｆ＜１．６５      （１）  ０≦｜ｆ／ｒG2b｜＜６．５      （２’）【選択図】図１
2015102810.tif 000002
【特許請求の範囲】
【請求項１】
光軸に沿って物体側から像側に順に、
正屈折力を有する前側レンズ群と、後側レンズ群と、を有し、
前記光軸上に他のレンズ群を含まず、
前記前側レンズ群は、物体側から像側に順に、正屈折力を有する第１レンズ群と、負屈折力を有する第２レンズ群と、を有し、
前記第１レンズ群と前記第２レンズ群の各々は、正レンズと、負レンズと、を有し、
前記第２レンズ群は合焦レンズ群であり、
前記合焦レンズ群は、無限遠物体から近距離物体への合焦動作の際に光軸に沿って像側に移動し、
前記後側レンズ群は、正レンズと、負レンズと、を有し、
前記前側レンズ群において移動するレンズ群は、前記第２レンズ群のみであり、
以下の条件式（１）、（２’）を満足することを特徴とする結像レンズ系。
０．５＜ｆFF／ｆ＜１．６５      （１）
０≦｜ｆ／ｒG2b｜＜６．５      （２’）
ただし、
ｆFFは、無限遠物体合焦時における前記前側レンズ群の焦点距離、
ｆは、無限遠物体合焦時における前記結像レンズ系の焦点距離、
ｒG2bは、前記第２レンズ群の物体側直前のレンズ面の近軸曲率半径、
である。
【請求項２】
光軸に沿って物体側から像側に順に、
正屈折力を有する前側レンズ群と、後側レンズ群と、を有し、
前記光軸上に他のレンズ群を含まず、
前記前側レンズ群は、物体側から像側に順に、正屈折力を有する第１レンズ群と、負屈折力を有する第２レンズ群と、を有し、
前記第１レンズ群と前記第２レンズ群の各々は、正レンズと、負レンズと、を有し、
前記第２レンズ群は合焦レンズ群であり、
前記合焦レンズ群は、無限遠物体から近距離物体への合焦動作の際に光軸に沿って像側に移動し、
前記後側レンズ群は、正レンズと、負レンズと、を有し、
前記前側レンズ群において移動するレンズ群は、前記第２レンズ群のみであり、
以下の条件式（２）、（３）を満足することを特徴とする結像レンズ系。
０≦｜ｆ／ｒG2b｜＜７．０      （２）
０．２７＜｜ｆfo｜／ｆ＜０．６      （３）
ただし、
ｆは、無限遠物体合焦時における前記結像レンズ系の焦点距離、
ｒG2bは、前記第２レンズ群の物体側直前のレンズ面の近軸曲率半径、
ｆfoは、前記第２レンズ群の焦点距離、
である。
【請求項３】
光軸に沿って物体側から像側に順に、
正屈折力を有する前側レンズ群と、後側レンズ群と、を有し、
前記光軸上に他のレンズ群を含まず、
前記前側レンズ群は、物体側から像側に順に、正屈折力を有する第１レンズ群と、負屈折力を有する第２レンズ群と、を有し、
前記第１レンズ群と前記第２レンズ群の各々は、正レンズと、負レンズと、を有し、
前記第２レンズ群は合焦レンズ群であり、
前記合焦レンズ群は、無限遠物体から近距離物体への合焦動作の際に光軸に沿って像側に移動し、
前記後側レンズ群は、正レンズと、負レンズと、を有し、
前記前側レンズ群において移動するレンズ群は、前記第２レンズ群のみであり、
前記合焦レンズ群は２枚のレンズで構成され、
以下の条件式（２）、（３’）を満足することを特徴とする結像レンズ系。
０≦｜ｆ／ｒG2b｜＜７．０      （２）
０．１２＜｜ｆfo｜／ｆ＜０．４      （３’）
ただし、
ｆは、無限遠物体合焦時における前記結像レンズ系の焦点距離、
ｒG2bは、前記第２レンズ群の物体側直前のレンズ面の近軸曲率半径、
ｆfoは、前記第２レンズ群の焦点距離、
である。
【請求項４】
前記第２レンズ群よりも像側に配置された開口絞りを有することを特徴とする請求項１から３の何れか一項に記載の結像レンズ系。
【請求項５】
前記第２レンズ群は、前記前側レンズ群において最も像側に位置するレンズ群であり、
開口絞りが、前記後側レンズ群に含まれることを特徴とする請求項１から４の何れか一項に記載の結像レンズ系。
【請求項６】
前記前側レンズ群は、前記第１レンズ群と前記第２レンズ群との２つのレンズ群からなることを特徴とする請求項１から５の何れか一項に記載の結像レンズ系。
【請求項７】
以下の条件式（４）を満足することを特徴とする請求項１から６の何れか一項に記載の結像レンズ系。
０．０３＜ｆb／ｆ＜０．２５      （４）
ただし、
ｆbは、無限遠物体合焦時における前記結像レンズ系の最も像側のレンズの像側面から像面までの光軸に沿った距離、
ｆは、無限遠物体合焦時における前記結像レンズ系の焦点距離、
である。
【請求項８】
前記後側レンズ群はブレ補正レンズ群を有し、
前記ブレ補正レンズ群は、前記結像レンズ系のブレによる像のブレを軽減させるように光軸の方向とは異なる方向に移動することを特徴とする請求項１から７の何れか一項に記載の結像レンズ系。
【請求項９】
前記後側レンズ群は、前記ブレ補正レンズ群の直前に配置された第１の所定のレンズ群を有し、
前記第１の所定のレンズ群は、前記ブレ補正レンズ群とは符号が異なる屈折力を有することを特徴とする請求項１から８の何れか一項に記載の結像レンズ系。
【請求項１０】
前記後側レンズ群は、前記ブレ補正レンズ群の直後に配置された第２の所定のレンズ群を有し、
前記第２の所定のレンズ群は、前記ブレ補正レンズ群とは符号が異なる屈折力を有することを特徴とする請求項１から９の何れか一項に記載の結像レンズ系。
【請求項１１】
前記ブレ補正レンズ群は、複数のレンズと、所定のレンズと、を有し、
前記複数のレンズは、前記ブレ補正レンズ群と符号が同じ屈折力を有し、
前記所定のレンズは、前記ブレ補正レンズ群とは符号が異なる屈折力を有することを特徴とする請求項１から１０の何れか一項に記載の結像レンズ系。
【請求項１２】
前記後側レンズ群は、前記ブレ補正レンズ群の直前に配置された第１の所定のレンズ群と、前記ブレ補正レンズ群の直後に配置された第２の所定のレンズ群と、を有し、
前記第１の所定のレンズ群と前記第２の所定のレンズ群の各々は、前記ブレ補正レンズ群とは符号が異なる屈折力を有することを特徴とする請求項１から１１の何れか一項に記載の結像レンズ系。
【請求項１３】
前記ブレ補正レンズ群は負屈折力を有することを特徴とする請求項１から１２の何れか一項に記載の結像レンズ系。
【請求項１４】
前記後側レンズ群は、物体側から順に、正屈折力を有するレンズ群と、負屈折力を有するブレ補正レンズ群と、正屈折力を有するレンズ群と、を有することを特徴とする請求項１から１３の何れか一項に記載の結像レンズ系。
【請求項１５】
開口絞りと、前記ブレ補正レンズ群の物体側の直前に配置された正屈折力を有するレンズ群と、を有し、
前記開口絞りと前記正屈折力を有するレンズ群とが、共に位置が固定されていることを特徴とする請求項１から１４の何れか一項に記載の結像レンズ系。
【請求項１６】
前記合焦レンズ群である第２レンズ群のみが光軸方向に移動可能なレンズ群であることを特徴とする請求項１から１５の何れか一項に記載の結像レンズ系。
【請求項１７】
前記合焦レンズ群である第２レンズ群と前記ブレ補正レンズ群のみが移動可能なレンズ群であることを特徴とする請求項１から１６の何れか一項に記載の結像レンズ系。
【請求項１８】
前記第２レンズ群は、前記前側レンズ群において最も像側に配置されたレンズ群であることを特徴とする請求項１から１７の何れか一項に記載の結像レンズ系。
【請求項１９】
以下の条件式（５）を満足するブレ補正レンズ群を有することを特徴とする請求項１から１８の何れか一項に記載の結像レンズ系。
０．８＜｜ＭＧISback×（ＭＧIS−１）｜＜５．０      （５）
ただし、
ＭＧISは、任意の合焦状態での前記ブレ補正レンズ群の横倍率、
ＭＧISbackは、前記任意の合焦状態での、前記ブレ補正レンズ群と像面との間の光学系全体の横倍率、
である。
【請求項２０】
前記合焦レンズ群が以下の条件式（６）を満足することを特徴とする請求項１から１９の何れか一項に記載の結像レンズ系。
１．５＜｜（ＭＧfoback）2×｛（ＭＧfo）2−１｝｜＜８．０      （６）
ただし、    
ＭＧfoは、任意の合焦状態での前記合焦レンズ群の横倍率、
ＭＧfobackは、前記任意の合焦状態での、前記合焦レンズ群と像面との間の光学系全体の横倍率、
である。
【請求項２１】
前記前側レンズ群が正屈折力を有し、
前記第２レンズ群が負屈折力を有し、
以下の条件式（７）を満足することを特徴とする請求項１から２０の何れか一項に記載の結像レンズ系。
−５．０＜ｆFF／ｆfo＜−１．０      （７）
ただし、
ｆFFは、無限遠物体合焦時における前記前側レンズ群の焦点距離、
ｆfoは、前記第２レンズ群の焦点距離、
である。
【請求項２２】
前記第１レンズ群は、物体側の第１−１副レンズ群と、像側の第１−２副レンズ群と、を有し、
前記第１−１副レンズ群と前記第１−２副レンズ群との光軸上空気間隔は、前記第１レンズ群中で最も長く、
前記第１−１副レンズ群は正屈折力を有し、
前記第１−１副レンズ群と前記第１−２副レンズ群の各々は、正レンズと、負レンズと、を有し、
以下の条件式（８）を満足することを特徴とする請求項１から２１の何れか一項に記載の結像レンズ系。
０．３５＜ＤG1／ｆG1＜１．３      （８）
ただし、
ＤG1は、前記第１レンズ群の最も物体側のレンズ面から最も像側のレンズ面までの光軸上での距離、
ｆG1は、前記第１レンズ群の焦点距離、
である。
【請求項２３】
前記第１レンズ群は、物体側の第１−１副レンズ群と、像側の第１−２副レンズ群と、を有し、
前記第１−１副レンズ群と前記第１−２副レンズ群との光軸上空気間隔は、前記第１レンズ群中で最も長く、
前記第１−１副レンズ群は正屈折力を有し、
前記第１−１副レンズ群と前記第１−２副レンズ群の各々は、正レンズと、負レンズと、を有し、
以下の条件式（９）を満足することを特徴とする請求項１から２２の何れか一項に記載の結像レンズ系。
０．１＜ＤG112／ｆG1＜０．６      （９）
ただし、
ＤG112は、前記第１−１副レンズ群と前記第１−２副レンズ群との間の光軸上距離、
ｆG1は、前記第１レンズ群の焦点距離、
である。
【請求項２４】
前記前側レンズ群が、前記第１レンズ群と前記第２レンズ群とからなり、
以下の条件式（１０）を満足することを特徴とする請求項１から２３の何れか一項に記載の結像レンズ系。
０．３１＜｜ｆG1／ｆfo｜＜３．０      （１０）
ただし、
ｆG1は、前記第１レンズ群の焦点距離、
ｆfoは、前記第２レンズ群の焦点距離、
である。
【請求項２５】
前記後側レンズ群は開口絞りを有し、
前記開口絞りは、前記後側レンズ群中の何れのレンズよりも物体側に配置されていることを特徴とする請求項１から２４の何れか一項に記載の結像レンズ系。
【請求項２６】
前記後側レンズ群は、物体側から像側に順に、正屈折力を有するレンズ群と、負屈折力を有するレンズ群と、正屈折力を有するレンズ群と、を有し、
前記後側レンズ群中の前記負屈折力を有するレンズ群よりも物体側に位置する前記正屈折力を有するレンズ群は、正屈折力を有する２つの副レンズ群からなり、
前記開口絞りは前記２つの副レンズ群に挟まれて配置されることを特徴とする請求項１から２５の何れか一項に記載の結像レンズ系。
【請求項２７】
光学系と、
撮像面を持ち且つ前記光学系により前記撮像面上に形成された像を電気信号に変換する撮像素子と、を有し、
前記光学系が請求項１から２６のいずれか一項に記載の結像レンズ系であることを特徴とする撮像装置。
【発明の詳細な説明】
【技術分野】
【０００１】
本発明は、結像レンズ系及びそれを備えた撮像装置に関する。
【背景技術】
【０００２】
望遠レンズや超望遠レンズ（以下、適宜、望遠レンズとする）を用いた撮影では、遠くの被写体や小さな被写体を撮影者の眼前に引き寄せる効果を得られる。そのため、望遠レンズは、スポーツシーンの撮影、野鳥などの野生動物の撮影、天体の撮影など、様々なシーンで幅広く用いられている。
【０００３】
このようなシーンの撮影に用いられる望遠レンズとして、特許文献１、２に開示された望遠レンズがある。
【先行技術文献】
【特許文献】
【０００４】
【特許文献１】特開２００８−１４５５８４号公報
【特許文献２】特開平１１−１６０６１７号公報
【発明の概要】
【発明が解決しようとする課題】
【０００５】
上述のシーンの撮影では、撮像装置の機動性の優劣が重要になる。ここで、機動性とは、例えば、持ち運びの容易性、手持ち撮影時の安定性、フォーカススピードの高速性などである。装置の機動性を優れたものにするためには、光学系は小型で軽量なものが望ましい。また、光学系がより早く被写体にフォーカスできるものであることも、機動性の優劣を左右する重要な要素である。
【０００６】
特許文献１に開示された望遠レンズ、例えば第１実施例の望遠レンズは、焦点距離に対して全長が長いため機動性が劣る。また、特許文献２に開示された望遠レンズ、例えば第１実施例の望遠レンズは、焦点距離に対して全長が長いため機動性が劣る。
【０００７】
本発明は、このような課題に鑑みてなされたものであって、機動性に優れると共に、収差が良好に補正された結像レンズ系及びそれを備えた撮像装置を提供することを目的とするものである。
【課題を解決するための手段】
【０００８】
上述した課題を解決し、目的を達成するために、本発明の結像レンズ系は、光軸に沿って物体側から像側に順に、
正屈折力を有する前側レンズ群と、後側レンズ群と、を有し、
光軸上に他のレンズ群を含まず、
前側レンズ群は、物体側から像側に順に、正屈折力を有する第１レンズ群と、負屈折力を有する第２レンズ群と、を有し、
第１レンズ群と第２レンズ群の各々は、正レンズと、負レンズと、を有し、
第２レンズ群は合焦レンズ群であり、
合焦レンズ群は、無限遠物体から近距離物体への合焦動作の際に光軸に沿って像側に移動し、
後側レンズ群は、正レンズと、負レンズと、を有し、
前側レンズ群において移動するレンズ群は、第２レンズ群のみであり、
以下の条件式（１）、（２’）を満足することを特徴とする。
０．５＜ｆFF／ｆ＜１．６５      （１）
０≦｜ｆ／ｒG2b｜＜６．５      （２’）
ただし、
ｆFFは、無限遠物体合焦時における前側レンズ群の焦点距離、
ｆは、無限遠物体合焦時における結像レンズ系の焦点距離、
ｒG2bは、第２レンズ群の物体側直前のレンズ面の近軸曲率半径、
である。
【０００９】
また、本発明の結像レンズ系は、光軸に沿って物体側から像側に順に、
正屈折力を有する前側レンズ群と、後側レンズ群と、を有し、
光軸上に他のレンズ群を含まず、
前側レンズ群は、物体側から像側に順に、正屈折力を有する第１レンズ群と、負屈折力を有する第２レンズ群と、を有し、
第１レンズ群と第２レンズ群の各々は、正レンズと、負レンズと、を有し、
第２レンズ群は合焦レンズ群であり、
合焦レンズ群は、無限遠物体から近距離物体への合焦動作の際に光軸に沿って像側に移動し、
後側レンズ群は、正レンズと、負レンズと、を有し、
前側レンズ群において移動するレンズ群は、第２レンズ群のみであり、
以下の条件式（２）、（３）を満足することを特徴とする。
０≦｜ｆ／ｒG2b｜＜７．０      （２）
０．２７＜｜ｆfo｜／ｆ＜０．６      （３）
ただし、
ｆは、無限遠物体合焦時における結像レンズ系の焦点距離、
ｒG2bは、第２レンズ群の物体側直前のレンズ面の近軸曲率半径、
ｆfoは、第２レンズ群の焦点距離、
である。
【００１０】
また、本発明の結像レンズ系は、光軸に沿って物体側から像側に順に、
正屈折力を有する前側レンズ群と、後側レンズ群と、を有し、
光軸上に他のレンズ群を含まず、
前側レンズ群は、物体側から像側に順に、正屈折力を有する第１レンズ群と、負屈折力を有する第２レンズ群と、を有し、
第１レンズ群と第２レンズ群の各々は、正レンズと、負レンズと、を有し、
第２レンズ群は合焦レンズ群であり、
合焦レンズ群は、無限遠物体から近距離物体への合焦動作の際に光軸に沿って像側に移動し、
後側レンズ群は、正レンズと、負レンズと、を有し、
前側レンズ群において移動するレンズ群は、第２レンズ群のみであり、
合焦レンズ群は２枚のレンズで構成され、
以下の条件式（２）、（３’）を満足することを特徴とする。
０≦｜ｆ／ｒG2b｜＜７．０      （２）
０．１２＜｜ｆfo｜／ｆ＜０．４      （３’）
ただし、
ｆは、無限遠物体合焦時における結像レンズ系の焦点距離、
ｒG2bは、第２レンズ群の物体側直前のレンズ面の近軸曲率半径、
ｆfoは、第２レンズ群の焦点距離、
である。
【００１１】
また、本発明の撮像装置は、
光学系と、
撮像面を持ち且つ光学系により撮像面上に形成された像を電気信号に変換する撮像素子と、を有し、
光学系が上述の結像レンズ系のいずれかであることを特徴とする。
【発明の効果】
【００１２】
本発明によれば、機動性に優れると共に、収差が良好に補正された結像レンズ系及びそれを備えた撮像装置を提供することができる。
【図面の簡単な説明】
【００１３】
【図１】本発明の結像レンズ系の無限遠物体合焦時のレンズ断面図であって、（ａ）は実施例１の結像レンズ系のレンズ断面図、（ｂ）は実施例２の結像レンズ系のレンズ断面図である。
【図２】本発明の結像レンズ系の無限遠物体合焦時のレンズ断面図であって、（ａ）は実施例３の結像レンズ系のレンズ断面図、（ｂ）は実施例４の結像レンズ系のレンズ断面図である。
【図３】本発明の結像レンズ系の無限遠物体合焦時のレンズ断面図であって、実施例５の結像レンズ系のレンズ断面図である。
【図４】（ａ）、（ｂ）、（ｃ）、（ｄ）は実施例１の結像レンズ系の無限遠物体合焦時の収差図、（ｅ）、（ｆ）、（ｇ）、（ｈ）は近距離物体合焦時の収差図である。
【図５】（ａ）、（ｂ）、（ｃ）、（ｄ）は実施例２の結像レンズ系の無限遠物体合焦時の収差図、（ｅ）、（ｆ）、（ｇ）、（ｈ）は近距離物体合焦時の収差図である。
【図６】（ａ）、（ｂ）、（ｃ）、（ｄ）は実施例３の結像レンズ系の無限遠物体合焦時の収差図、（ｅ）、（ｆ）、（ｇ）、（ｈ）は近距離物体合焦時の収差図である。
【図７】（ａ）、（ｂ）、（ｃ）、（ｄ）は実施例４の結像レンズ系の無限遠物体合焦時の収差図、（ｅ）、（ｆ）、（ｇ）、（ｈ）は近距離物体合焦時の収差図である。
【図８】（ａ）、（ｂ）、（ｃ）、（ｄ）は実施例５の結像レンズ系の無限遠物体合焦時の収差図、（ｅ）、（ｆ）、（ｇ）、（ｈ）は近距離物体合焦時の収差図である。
【図９】実施例１の結像レンズ系を組み込んだデジタルカメラの断面図である。
【図１０】上記デジタルカメラの前方斜視図である。
【図１１】上記デジタルカメラの後方斜視図である。
【図１２】上記デジタルカメラの主要部の内部回路の構成ブロック図である。
【発明を実施するための形態】
【００１４】
以下に、本発明に係る結像レンズ系及びそれを備えた撮像装置の実施形態及び実施例を、図面に基づいて詳細に説明する。なお、この実施形態及び実施例によりこの発明が限定されるものではない。
【００１５】
本実施形態の結像レンズ系の説明に先立って、本実施形態の結像レンズ系が有する基本構成について説明する。なお、以下、適宜、「結像レンズ系」を「レンズ系」とする。
【００１６】
基本構成では、レンズ系は、光軸に沿って物体側から像側に順に、正屈折力を有する前側レンズ群と、後側レンズ群と、を有し、光軸上に他のレンズ群を含まず、前側レンズ群は、物体側から像側に順に、正屈折力を有する第１レンズ群と、負屈折力を有する第２レンズ群と、を有し、第１レンズ群と第２レンズ群の各々は、正レンズと、負レンズと、を有し、第２レンズ群は合焦レンズ群であり、合焦レンズ群は、無限遠物体から近距離物体への合焦動作の際に光軸に沿って像側に移動し、後側レンズ群は、正レンズと、負レンズと、を有し、前側レンズ群において移動するレンズ群は、第２レンズ群のみである。
【００１７】
上述のように、レンズ系は、物体側から像側に順に、前側レンズ群と後側レンズ群とを有している。ここで、レンズ系は、光軸上に他のレンズ群、すなわち、前側レンズ群と後側レンズ群以外のレンズ群は含まない。よって、光軸上に配置されているレンズ群は、前側レンズ群と後側レンズ群のみである。カバーガラスや各種の光学フィルタはレンズ群ではないので、光軸上（光路中）に配置されていても良い。
【００１８】
レンズ系の全長を短縮するには、テレフォト構成を含むようにレンズ系を構成すると共に、テレフォト構成によってもたらされる作用（以下、適宜、「テレフォト構成による作用」とする）を強めることが必要である。テレフォト構成による作用を強めるためには、最も物体側に正屈折力のレンズ群を配置し、その像側に負屈折力のレンズ群を配置すればよい。このようにすることで、テレフォト構成による作用を強めつつ、主に、球面収差、コマ収差及び非点収差の補正が可能になる。
【００１９】
ここで、前側レンズ群は、物体側から像側に順に、正屈折力のレンズ群と負屈折力のレンズ群とを有している。よって、本実施形態のレンズ系においても、テレフォト構成による作用が強められているので、レンズ系の全長を短縮することができる。また、このように構成することで、テレフォト構成による作用を強めつつ、主に、球面収差、コマ収差及び非点収差を良好に補正できる。
【００２０】
前側レンズ群においてテレフォト構成による作用を強めるにあたっては、第１レンズ群と第２レンズ群の各々が、少なくとも正レンズと負レンズとを有することが好ましい。このようにすることで、第１レンズ群と第２レンズ群の各々で、球面収差、コマ収差、非点収差及び色収差等の発生を減らすことができる。その結果、レンズ系を小型化しながらも良好な結像性能を得ることができる。
【００２１】
また、第２レンズ群を合焦レンズ群とすることで、第２レンズ群は、フォーカス機能とテレフォト構成による作用を強める機能とを持つことになる。このように、１つのレンズ群に２つの機能を持たせることで、レンズ構成を非常に単純化することができる。これにより、レンズ系におけるレンズ枚数を削減することができるので、レンズ系の軽量化が可能になる。
【００２２】
また、後側レンズ群にも、少なくとも正レンズと負レンズを配置することで、後側レンズ群での球面収差とコマ収差の発生を抑えることができる。その結果、良好な結像性能が得られる。なお、正レンズと負レンズを配置する順番は問わない。
【００２３】
また、第２レンズ群を合焦レンズ群にしたことで、前側レンズ群において移動するレンズ群は、第２レンズ群になる。ここで、レンズ群の移動は、フォーカス以外では、ズームや手ブレ補正などで行われる。レンズ群を移動させると、レンズ群の移動に伴ってレンズに入射する光線の入射角が変化する。この入射角の変化は、主に、像面湾曲と倍率色収差に影響を及ぼす。像面湾曲と倍率色収差の悪化を防ぐためには、像面湾曲と倍率色収差の発生量を少なくする必要がある。
【００２４】
そこで、前側レンズ群において移動するレンズ群を第２レンズ群のみにすることで、前側レンズ群には、合焦レンズ群以外で移動するレンズ群が配置されないことになる。このようにすることで、像面湾曲と倍率色収差の補正を考慮する必要性を少なくすることができるので、テレフォト構成による作用をより強めることが可能になる。
【００２５】
第１実施形態の結像レンズ系について説明する。第１実施形態の結像レンズ系は、光軸に沿って物体側から像側に順に、正屈折力を有する前側レンズ群と、後側レンズ群と、を有し、光軸上に他のレンズ群を含まず、前側レンズ群は、物体側から像側に順に、正屈折力を有する第１レンズ群と、負屈折力を有する第２レンズ群と、を有し、第１レンズ群と第２レンズ群の各々は、正レンズと、負レンズと、を有し、第２レンズ群は合焦レンズ群であり、合焦レンズ群は、無限遠物体から近距離物体への合焦動作の際に光軸に沿って像側に移動し、後側レンズ群は、正レンズと、負レンズと、を有し、前側レンズ群において移動するレンズ群は、第２レンズ群のみであり、以下の条件式（１）、（２’）を満足することを特徴とする。
０．５＜ｆFF／ｆ＜１．６５      （１）
０≦｜ｆ／ｒG2b｜＜６．５      （２’）
ただし、
ｆFFは、無限遠物体合焦時における前側レンズ群の焦点距離、
ｆは、無限遠物体合焦時における結像レンズ系の焦点距離、
ｒG2bは、第２レンズ群の物体側直前のレンズ面の近軸曲率半径、
である。
【００２６】
第１実施形態の結像レンズ系は、上述の基本構成を備えると共に、条件式（１）、（２’）を満足する。なお、基本構成の技術的意義については既に説明しているので、説明は省略する。
【００２７】
条件式（１）の下限値を下回ると、前側レンズ群の屈折力が大きくなる。この場合、第１レンズ群の正屈折力に対して、合焦レンズ群の負屈折力が相対的に小さくなるので、合焦時の合焦レンズ群の移動量が増加する。そのため、合焦レンズ群の移動に必要なスペースを確保しようとすると、レンズ系の全長の短縮が難しくなる。また、フォーカスユニット（合焦レンズ群や移動機構を含む構成）の重量が増加する。
【００２８】
条件式（１）の上限値を上回ると、前側レンズ群の屈折力が小さくなるので、レンズ系の全長短縮が困難になる。
【００２９】
条件式（２’）の上限値を上回ると、第２レンズ群の物体側直前のレンズ面において、球面収差やコマ収差の発生量が増える。これらの収差に対する補正の影響が第２レンズ群に及ぶので、合焦時に安定した結像性能が確保できなくなる。なお、第２レンズ群の物体側直前のレンズ面は、第２レンズ群よりも物体側に位置するレンズ面で、且つ、第２レンズ群に対して最も近くに位置するレンズ面である。
【００３０】
第２実施形態の結像レンズ系は、光軸に沿って物体側から像側に順に、正屈折力を有する前側レンズ群と、後側レンズ群と、を有し、光軸上に他のレンズ群を含まず、前側レンズ群は、物体側から像側に順に、正屈折力を有する第１レンズ群と、負屈折力を有する第２レンズ群と、を有し、第１レンズ群と第２レンズ群の各々は、正レンズと、負レンズと、を有し、第２レンズ群は合焦レンズ群であり、合焦レンズ群は、無限遠物体から近距離物体への合焦動作の際に光軸に沿って像側に移動し、後側レンズ群は、正レンズと、負レンズと、を有し、前側レンズ群において移動するレンズ群は、第２レンズ群のみであり、以下の条件式（２）、（３）を満足することを特徴とする。
０≦｜ｆ／ｒG2b｜＜７．０      （２）
０．２７＜｜ｆfo｜／ｆ＜０．６      （３）
ただし、
ｆは、無限遠物体合焦時における結像レンズ系の焦点距離、
ｒG2bは、第２レンズ群の物体側直前のレンズ面の近軸曲率半径、
ｆfoは、第２レンズ群の焦点距離、
である。
【００３１】
第２実施形態の結像レンズ系は、上述の基本構成を備えると共に、条件式（２）、（３）を満足する。なお、基本構成の技術的意義については既に説明しているので、説明は省略する。また、条件式（２）の技術的意義は、条件式（２’）の技術的意義と同じである。
【００３２】
条件式（３）の下限値を下回ると、合焦レンズ群において、主に、球面収差とコマ収差の発生量が増える。これらの収差に対する補正の影響が第２レンズ群に及ぶので、合焦時に安定した結像性能が確保できなくなる。又は、合焦時の合焦性能を十分に確保するためにこれらの収差を補正しようとすると、合焦レンズ群を構成するレンズの枚数の増加につながる。その結果、合焦レンズの軽量化が図れなくなる。
【００３３】
条件式（３）の上限値を上回ると、テレフォト構成による作用が弱まる。そのため、レンズ系の全長短縮が困難になる。
【００３４】
第３実施形態の結像レンズ系は、光軸に沿って物体側から像側に順に、正屈折力を有する前側レンズ群と、後側レンズ群と、を有し、光軸上に他のレンズ群を含まず、前側レンズ群は、物体側から像側に順に、正屈折力を有する第１レンズ群と、負屈折力を有する第２レンズ群と、を有し、第１レンズ群と第２レンズ群の各々は、正レンズと、負レンズと、を有し、第２レンズ群は合焦レンズ群であり、合焦レンズ群は、無限遠物体から近距離物体への合焦動作の際に光軸に沿って像側に移動し、後側レンズ群は、正レンズと、負レンズと、を有し、前側レンズ群において移動するレンズ群は、第２レンズ群のみであり、合焦レンズ群は２枚のレンズで構成され、以下の条件式（２）、（３’）を満足することを特徴とする。
０≦｜ｆ／ｒG2b｜＜７．０      （２）
０．１２＜｜ｆfo｜／ｆ＜０．４      （３’）
ただし、
ｆは、無限遠物体合焦時における結像レンズ系の焦点距離、
ｒG2bは、第２レンズ群の物体側直前のレンズ面の近軸曲率半径、
ｆfoは、第２レンズ群の焦点距離、
である。
【００３５】
第３実施形態のレンズ系は、上述の基本構成を備えると共に、条件式（２）、（３’）を満足する。なお、基本構成の技術的意義と条件式（２）の技術的意義については既に説明しているので、説明は省略する。また、条件式（３’）の技術的意義は、条件式（３）の技術的意義と同じである。
【００３６】
また、第３実施形態の結像レンズ系では、合焦レンズ群は２枚のレンズで構成されている。
【００３７】
本実施形態の基本構成では、上述のように、前側レンズ群内で球面収差、コマ収差及び非点収差を良好に補正できる。そのため、後側レンズ群内に合焦レンズ群を配置することで、合焦性能の安定性を向上させることができる。そして、合焦性能の安定性が向上することから、合焦レンズ群を２枚以下の少ない枚数で構成しても、高い合焦性能の確保と合焦レンズ群の軽量化が可能になる。
【００３８】
また、第１実施形態の結像レンズ系から第３実施形態の結像レンズ系（以下、適宜、本実施形態のレンズ系とする）は、第２レンズ群よりも像側に配置された開口絞りを有することが好ましい。
【００３９】
このようにすることで、開口絞りよりも像側のレンズ群においてレンズ径を小径化できる。特に、第１レンズ群の正屈折力と第２レンズ群の負屈折力を大きくして、第２レンズ群よりも像側に開口絞りを配置することが好ましい。このようにすることで、開口絞りよりも像側のレンズ群においてレンズ径を更に小径化できる。
【００４０】
また、本実施形態のレンズ系では、第２レンズ群は、前側レンズ群において最も像側に位置するレンズ群であり、開口絞りが、後側レンズ群に含まれることが好ましい。
【００４１】
前側レンズ群ではテレフォト構成による作用を強めつつ、前側レンズ群全体で正屈折力を持たせることが望ましい。これにより、後側レンズ群における屈折力の負担割合を減らすことができるので、レンズ系の全長を短縮できると共に、後側レンズ群で発生する収差を低減できる。その結果、良好な結像性能を確保できる。
【００４２】
ここで、開口絞りを後側レンズ群内に配置することで、開口絞りよりも像側のレンズ群においてレンズ径を更に小径化できる。
【００４３】
また、本実施形態のレンズ系では、前側レンズ群は、第１レンズ群と第２レンズ群との２つのレンズ群からなることが好ましい。
【００４４】
レンズ系の全長を短縮するには、テレフォト構成を含むようにレンズ系を構成すると共に、テレフォト構成による作用を強めることが必要である。テレフォト構成による作用を強めるためには、最も物体側に正屈折力のレンズ群を配置し、その像側に負屈折力のレンズ群を配置すればよい。このようにすることで、より効率的にテレフォト構成による作用を強めつつ、主に、球面収差、コマ収差及び非点収差の補正が可能になる。
【００４５】
ここで、上述のように、前側レンズ群は、物体側から像側に順に、正屈折力のレンズ群と負屈折力のレンズ群とを有している。よって、本実施形態のレンズ系においても、テレフォト構成による作用が強められているので、レンズ系の全長を短縮することができる。また、このように構成することで、テレフォト構成による作用を強めつつ、主に、球面収差、コマ収差及び非点収差を良好に補正できる。
【００４６】
より具体的には、正屈折力を有するレンズ群を第１レンズ群とし、負屈折力を有するレンズ群を第２レンズ群にして、２つのレンズ群だけで前側レンズ群を構成する。このようにすることで、前側レンズ群の全長を短縮することができる。
【００４７】
また、本実施形態のレンズ系は、以下の条件式（４）を満足することが好ましい。
０．０３＜ｆb／ｆ＜０．２５      （４）
ただし、
ｆbは、無限遠物体合焦時における結像レンズ系の最も像側のレンズの像側面から像面までの光軸に沿った距離、
ｆは、無限遠物体合焦時における結像レンズ系の焦点距離、
である。
【００４８】
テレフォト構成による作用を強めて光学系の全長短縮を図る場合、前側レンズ群は正屈折を有することがより望ましい。また、後側レンズ群では、前側レンズ群で残存する球面収差やコマ収差を補正する必要がある。これらの収差の補正効果は、後側レンズ群内での屈折面間の距離によって左右される。そのため、収差の補正効果を高めるための屈折面間の距離を適切に確保する必要がある。
【００４９】
条件式（４）の下限値を下回ると、バックフォーカスが短くなるので、像面付近に配置されたレンズの径が大きくなる。よって、条件式（４）の下限値を下回ることは、光学系の軽量化にとって好ましくない。
【００５０】
条件式（４）の上限値を上回ると、後側レンズ群での屈折面間の距離が十分に確保できない。そのため、光学系の全長を短縮しようとすると、球面収差やコマ収差の発生量が増加する。その結果、良好な結像性能が得られない。
【００５１】
また、本実施形態のレンズ系では、後側レンズ群はブレ補正レンズ群を有し、ブレ補正レンズ群は、結像レンズ系のブレによる像のブレを軽減させるように光軸の方向とは異なる方向に移動することが好ましい。
【００５２】
屈折力を有するレンズ群をシフトさせることで、手ブレにより発生する結像位置のシフトを補正することができる。ここで、レンズ群のシフトとは、レンズ系のブレによる像のブレを軽減させるように、光軸の方向とは異なる方向にレンズ群を移動することである。このシフトさせるレンズ群は、小型で軽量であることが望ましい。
【００５３】
テレフォト構成を有するレンズ系では、後側レンズ群が、最もレンズ径が小さいレンズ群となる。そうすると、本実施形態のレンズ系もテレフォト構成を備えているので、シフトさせるレンズ群、すなわち、ブレ補正レンズ群を後側レンズ群内に配置することが好ましい。このようにすることで、ブレ補正レンズ群の小径化と軽量化ができるので、ブレ補正の応答性を高めるこができる。
【００５４】
また、本実施形態のレンズ系では、後側レンズ群は、ブレ補正レンズ群の直前に配置された第１の所定のレンズ群を有し、第１の所定のレンズ群は、ブレ補正レンズ群とは符号が異なる屈折力を有することが好ましい。
【００５５】
このように構成することで、ブレ補正レンズ群の屈折力を大きくすることができる。その結果、ブレ補正レンズ群のシフト量に対する結像位置のシフト量を大きくすることができる。これにより、少ないシフト量でより高い精度のブレ補正を行うことができる。
【００５６】
また、本実施形態のレンズ系では、後側レンズ群は、ブレ補正レンズ群の直後に配置された第２の所定のレンズ群を有し、第２の所定のレンズ群は、ブレ補正レンズ群とは符号が異なる屈折力を有することが好ましい。
【００５７】
このように構成することで、ブレ補正レンズ群の屈折力を大きくすることができる。その結果、ブレ補正レンズ群のシフト量に対する結像位置のシフト量を大きくすることができる。これにより、少ないシフト量でより高い精度のブレ補正を行うことができる。
【００５８】
また、本実施形態のレンズ系では、ブレ補正レンズ群は、複数のレンズと、所定のレンズと、を有し、複数のレンズは、ブレ補正レンズ群と符号が同じ屈折力を有し、所定のレンズは、ブレ補正レンズ群とは符号が異なる屈折力を有することが好ましい。
【００５９】
ブレが生じた時に発生する収差は、主に、球面収差・像面湾曲及び倍率色収差である。ブレに対する補正性能の劣化を軽減するには、これらの収差の発生量を軽減することが必要である。ここで、ブレ補正レンズ群では、屈折力の負担割合が大きくなっている（屈折力が大きい）ので、収差が発生し易い。
【００６０】
そこで、ブレ補正レンズ群を、複数のレンズと所定のレンズとで構成する。そして、複数のレンズがブレ補正レンズ群の屈折力と符号が同じ屈折力を有することで、球面収差や像面湾曲の発生を軽減することができる。さらに、所定のレンズがブレ補正レンズ群とは符号が異なる屈折力を有することで、色収差を良好に補正することができる。
【００６１】
なお、複数のレンズの枚数を２枚とし、所定のレンズの枚数を１枚とし、合計３枚のレンズでブレ補正レンズ群を構成することが望ましい。
【００６２】
また、本実施形態のレンズ系では、後側レンズ群は、ブレ補正レンズ群の直前に配置された第１の所定のレンズ群と、ブレ補正レンズ群の直後に配置された第２の所定のレンズ群と、を有し、第１の所定のレンズ群と第２の所定のレンズ群の各々は、ブレ補正レンズ群とは符号が異なる屈折力を有することが好ましい。
【００６３】
このように構成することで、収差の発生を抑えながら、ブレ補正レンズ群の屈折力をより大きくすることができる。その結果、ブレ補正レンズ群のシフト量に対する結像位置のシフト量を、より大きくすることができる。これにより、少ないシフト量でより高い精度のブレ補正を行うことができる。
【００６４】
また、本実施形態のレンズ系では、ブレ補正レンズ群は負屈折力を有することが好ましい。
【００６５】
ブレ補正では、ブレ補正レンズ群をシフトさせている。このブレ補正にあたっては、ブレ補正レンズ群の移動量を小さくする（移動範囲を狭くする）ことが好ましい。移動量を小さくするためには、レンズ径がより小さいレンズ群（レンズ）をブレ補正レンズ群とすることが望ましい。ブレ補正レンズ群の屈折力を負屈折力とすることで、ブレ補正レンズ群のレンズ径を小さくしやすい光学的なレイアウトを採用でき好ましい。
【００６６】
また、本実施形態のレンズ系では、後側レンズ群は、物体側から順に、正屈折力を有するレンズ群と、負屈折力を有するブレ補正レンズ群と、正屈折力を有するレンズ群と、を有することが好ましい。
【００６７】
合焦レンズ群は、前側レンズ群に配置されている。合焦レンズ群の屈折力を負屈折力とし、合焦レンズ群よりも像側に正屈折力のレンズ群を配置することが好ましい。このようにすることで、合焦レンズ群の倍率を高められるので、フォーカス感度をより容易に高めることができる。これにより、合焦時の合焦レンズの移動量を減らすことができるので、フォーカススピードを高速化することができる。
【００６８】
また、ブレ補正では、ブレ補正レンズ群をシフトさせている。このブレ補正にあたっては、ブレ補正レンズ群の移動量を小さくする（移動範囲を狭くする）ことが好ましい。移動量を小さくするためには、レンズ径がより小さいレンズ群（レンズ）をブレ補正レンズ群とすることが望ましい。ブレ補正レンズ群の屈折力を負屈折力とすることで、ブレ補正レンズ群のレンズ径を小さくしやすい光学的なレイアウトを採用でき好ましい。
【００６９】
また、ブレ補正レンズ群よりも物体側に正屈折力のレンズ群を配置すると共に、ブレ補正レンズ群よりも像側に正屈折力のレンズ群を配置する。このように構成することで、ブレ補正レンズ群の屈折力を大きくすることができる。その結果、ブレ補正レンズ群のシフト量に対する結像位置のシフト量を大きくすることができる。これにより、少ないシフト量でより高い精度のブレ補正を行うことができる。
【００７０】
なお、ブレ補正レンズ群のシフトによって、コマ収差が発生する。そのため、合焦レンズ群をブレ補正レンズ群よりも像側に配置すると、このコマ収差に対する補正効果がフォーカスにより大きく変動することになる。よって、合焦レンズ群をブレ補正レンズ群よりも像側に配置することは好ましくない。
【００７１】
また、ブレ補正レンズ群よりも物体側に配置された正屈折力のレンズ群は、合焦レンズ群よりも像側に配置された正レンズ群でもある。このように、ブレ補正レンズ群よりも物体側に配置されたレンズ群と合焦レンズ群よりも像側に配置されたレンズ群とを共通化すると、後側レンズ群の光学的なレイアウトをシンプルにできる。
【００７２】
また、後側レンズ群を構成する全てのレンズ群を開口絞りよりも像側に配置することで、後側レンズ群をより小径化することができる。
【００７３】
また、本実施形態のレンズ系は、開口絞りと、ブレ補正レンズ群の物体側の直前に配置された正屈折力を有するレンズ群と、を有し、開口絞りと正屈折力を有するレンズ群とが、共に位置が固定されていることが好ましい。
【００７４】
開口絞りよりも像側では、レンズ径を小さくすることができる。正屈折力を有するレンズ群をブレ補正レンズ群の物体側の直前に配置すると、この正屈折力を有するレンズ群は後側レンズ群のうちで最も物体側に位置することになる。よって、レンズ径を小径化できるレンズ群の数を多くすることができる。その結果、光学系を小型化することができる。
【００７５】
また、この正屈折力を有するレンズ群を常時固定とすることで、移動させるレンズの枚数を減らすことができる。これにより、合焦時に移動させるレンズ群を軽量化することができる。
【００７６】
また、本実施形態のレンズ系では、合焦レンズ群である第２レンズ群のみが光軸方向に移動可能なレンズ群であることが好ましい。
【００７７】
光軸方向に移動可能なレンズ群を合焦レンズ群のみとすることで、移動させるレンズの枚数を減らすことができる。これにより、合焦時に移動させるレンズ群を軽量化することができる。
【００７８】
また、本実施形態のレンズ系では、合焦レンズ群である第２レンズ群とブレ補正レンズ群のみが移動可能なレンズ群であることが好ましい。
【００７９】
移動可能なレンズ群を、合焦レンズ群とブレ補正レンズ群のみとすることで、移動させるレンズの枚数を減らすことができる。これにより、合焦時やブレ補正時に移動させるレンズ群を軽量化することができる。
【００８０】
また、本実施形態のレンズ系では、第２レンズ群は、前側レンズ群において最も像側に配置されたレンズ群であることが好ましい。
【００８１】
このようにすることで、前側レンズ群は、第１レンズ群と第２レンズ群の２つのレンズ群からなる。その結果、前側レンズ群の全長を短縮することができる。
【００８２】
また、本実施形態のレンズ系は、以下の条件式（５）を満足するブレ補正レンズ群を有することが好ましい。
０．８＜｜ＭＧISback×（ＭＧIS−１）｜＜５．０      （５）
ただし、
ＭＧISは、任意の合焦状態でのブレ補正レンズ群の横倍率、
ＭＧISbackは、任意の合焦状態での、ブレ補正レンズ群と像面との間の光学系全体の横倍率、
である。
【００８３】
条件式（５）の下限値を下回ると、ブレ補正レンズ群のシフトによるブレ補正の効果が十分得られなくなる。条件式（５）の上限値を上回ると、ブレ補正レンズ群における屈折力の負担割合が大きくなるので、ブレに対する補正性能の劣化が大きくなる。
【００８４】
また、本実施形態のレンズ系では、合焦レンズ群が以下の条件式（６）を満足することが好ましい。
１．５＜｜（ＭＧfoback）2×｛（ＭＧfo）2−１｝｜＜８．０      （６）
ただし、    
ＭＧfoは、任意の合焦状態での合焦レンズ群の横倍率、
ＭＧfobackは、任意の合焦状態での、合焦レンズ群と像面との間の光学系全体の横倍率、
である。
【００８５】
条件式（６）の下限値を下回ると、合焦レンズ群の移動量が大きくなりすぎるので、レンズ系の全長の短縮が困難になる。条件式（６）の上限値を上回ると、合焦レンズ群の位置制御が困難になるので、正確なフォーカスができなくなる。
【００８６】
また、本実施形態のレンズ系では、前側レンズ群が正屈折力を有し、第２レンズ群が負屈折力を有し、以下の条件式（７）を満足することが好ましい。
−５．０＜ｆFF／ｆfo＜−１．０    （７）
ただし、
ｆFFは、無限遠物体合焦時における前側レンズ群の焦点距離、
ｆfoは、第２レンズ群の焦点距離、
である。
【００８７】
前側レンズ群の屈折力を正屈折力とし、合焦レンズ群の屈折力を負屈折力とすることで、レンズ系全体でテレフォト構成による作用を強めることができるので、レンズ系の全長の短縮が可能になる。
【００８８】
条件式（７）の下限値を下回ると、合焦レンズ群の屈折力が大きくなりすぎる。この場合、合焦レンズ群内で発生する球面収差が増加するので、フォーカス域の全域で良好な結像性能が得られない。
【００８９】
条件式（７）の上限値を上回ると、合焦レンズ群の屈折力が小さくなりすぎる。この場合、フォーカス感度が低下するので、合焦時の合焦レンズ群の移動量が増加する。その結果、レンズ系の全長の短縮が困難になる。
【００９０】
また、本実施形態のレンズ系では、第１レンズ群は、物体側の第１−１副レンズ群と、像側の第１−２副レンズ群と、を有し、第１−１副レンズ群と第１−２副レンズ群との光軸上空気間隔は、第１レンズ群中で最も長く、第１−１副レンズ群は正屈折力を有し、第１−１副レンズ群と第１−２副レンズ群の各々は、正レンズと、負レンズと、を有し、以下の条件式（８）を満足することが好ましい。
０．３５＜ＤG1／ｆG1＜１．３      （８）
ただし、
ＤG1は、第１レンズ群の最も物体側のレンズ面から最も像側のレンズ面までの光軸上での距離、
ｆG1は、第１レンズ群の焦点距離、
である。
【００９１】
前側レンズ群におけるテレフォト構成による作用を強めるには、第１レンズ群の正屈折力を大きくする必要がある。しかしながら、このようにすると、球面収差の曲がり（発生量）が大きくなる。そこで、第１レンズ群の正屈折力を、第１−１副レンズ群と第１−２副レンズ群とに分ける。このようにすることで、第１レンズ群の屈折力を大きくしても、第１レンズ群の構成を球面収差の曲がりの少ない構成にすることが可能になる。更に、第１−１副レンズ群と第１−２副レンズ群の各々を、正レンズと負レンズとを有する構成とする。このようにすることで、第１レンズ群における色収差の曲がり（発生量）も減らすことができる。
【００９２】
なお、第１レンズ群の正屈折力を、第１−１副レンズ群のみで負担し、第１−２副レンズ群の屈折力を負屈折力にすることもできる。このようにすることで、第１レンズ群の構成をテレフォト構成にすることができる。第１−２副レンズ群の屈折力を負屈折力にすることは、レンズ系の全長の短縮化に有利になる。
【００９３】
条件式（８）の下限値を下回ると、第１−２副レンズ群におけるレンズ径が大きくなる。そのため、レンズ系全体の軽量化が図れなくなる。更に、球面収差の曲がりが増加してしまうので、良好な結像性能の確保が困難になる。
【００９４】
条件式（８）の上限値を上回ると、レンズ系の全長の短縮が困難になる。
【００９５】
また、本実施形態のレンズ系では、第１レンズ群は、物体側の第１−１副レンズ群と、像側の第１−２副レンズ群と、を有し、第１−１副レンズ群と第１−２副レンズ群との光軸上空気間隔は、第１レンズ群中で最も長く、第１−１副レンズ群は正屈折力を有し、第１−１副レンズ群と第１−２副レンズ群の各々は、正レンズと、負レンズと、を有し、以下の条件式（９）を満足することが好ましい。
０．１＜ＤG112／ｆG1＜０．６      （９）
ただし、
ＤG112は、第１−１副レンズ群と第１−２副レンズ群との間の光軸上距離、
ｆG1は、第１レンズ群の焦点距離、
である。
【００９６】
前側レンズ群におけるテレフォト構成による作用を強めるには、第１レンズ群の正屈折力を大きくする必要がある。しかしながら、このようにすると、球面収差の曲がり（発生量）が大きくなる。そこで、第１レンズ群の正屈折力を、第１−１副レンズ群と第１−２副レンズ群とに分ける。このようにすることで、第１レンズ群の屈折力を大きくしても、第１レンズ群の構成を球面収差の曲がりの少ない構成にすることが可能になる。更に、第１−１副レンズ群と第１−２副レンズ群の各々を、正レンズと負レンズとを有する構成とする。このようにすることで、第１レンズ群における色収差の曲がり（発生量）も減らすことができる。
【００９７】
なお、第１レンズ群の正屈折力を、第１−１副レンズ群のみで負担し、第１−２副レンズ群の屈折力を負屈折力にすることもできる。このようにすることで、第１レンズ群の構成をテレフォト構成にすることができる。第１−２副レンズ群の屈折力を負屈折力にすることは、レンズ系の全長の短縮化に有利になる。
【００９８】
条件式（９）の下限値を下回ると、第１−２副レンズ群におけるレンズ径が大きくなる。そのため、レンズ系全体の軽量化が図れなくなる。更に、球面収差の曲がりが増加してしまうので、良好な結像性能の確保が困難になる。
【００９９】
条件式（９）の上限値を上回ると、レンズ系の全長の短縮が困難になる。
【０１００】
また、本実施形態のレンズ系では、前側レンズ群が、第１レンズ群と第２レンズ群とからなり、以下の条件式（１０）を満足することが好ましい。
０．３１＜｜ｆG1／ｆfo｜＜３．０      （１０）
ただし、
ｆG1は、第１レンズ群の焦点距離、
ｆfoは、第２レンズ群の焦点距離、
である。
【０１０１】
条件式（１０）の下限値を下回ると、レンズ系の全長の短縮に有利となるが、口径が大きい第１レンズ群の屈折力が大きくなりすぎる。この場合、レンズ系全体の屈折力に占める第１レンズ群の屈折力の比率が大きくなるので、レンズ系全体の軽量化が困難になる。
【０１０２】
条件式（１０）の上限値を上回ると、第２レンズ群の屈折力が大きくなりすぎる。この場合、レンズ系全体の屈折力に占める第２レンズ群の屈折力の比率が大きくなるので、レンズ系の全長の短縮が困難になる。
【０１０３】
また、本実施形態のレンズ系では、後側レンズ群は開口絞りを有し、開口絞りは、後側レンズ群中の何れのレンズよりも物体側に配置されていることが好ましい。
【０１０４】
このようにすることで、開口絞りよりも像側のレンズ群においてレンズ径を小径化できる。
【０１０５】
また、本実施形態のレンズ系では、後側レンズ群は、物体側から像側に順に、正屈折力を有するレンズ群と、負屈折力を有するレンズ群と、正屈折力を有するレンズ群と、を有し、後側レンズ群中の負屈折力を有するレンズ群よりも物体側に位置する正屈折力を有するレンズ群は、正屈折力を有する２つの副レンズ群からなり、開口絞りは２つの副レンズ群に挟まれて配置されることが好ましい。
【０１０６】
前側レンズ群ではテレフォト構成による作用を強めつつ、前側レンズ群全体で正屈折力を持たせることが望ましい。これにより、後側レンズ群における屈折力の負担割合を減らすことができるので、レンズ系の全長を短縮できると共に、後側レンズ群で発生する収差を低減できる。その結果、良好な結像性能を確保できる。
【０１０７】
ここで、前側レンズ群の正屈折力を大きくして、開口絞りを前側レンズ群の直後に配置することで、絞りよりも像側に位置するレンズ群においてレンズ径を小径化できる。
【０１０８】
開口絞りを２つの副レンズ群に挟まれるように配置することで、正屈折力を有するレンズ群が開口絞りよりも物体側に位置する。そのため、開口絞りの径を小さくすることができる。
【０１０９】
また、開口絞りよりも物体側に配置された副レンズ群は、１枚のレンズで構成することが好ましい。このようにすることで、副レンズ群を軽量化することができる。
【０１１０】
また、本実施形態のレンズ系は、開口絞りと、ブレ補正レンズ群の物体側の直前に配置された正屈折力を有するレンズ群と、を有し、開口絞りは、正屈折力を有するレンズ群内に配置されていることが好ましい。
【０１１１】
開口絞りよりも像側では、レンズ径を小さくすることができる。そこで、このようにすることで、レンズ径を小径化できるレンズ群の数を多くすることができる。
【０１１２】
また、本実施形態のレンズ系では、後側レンズ群は、正レンズと、負レンズと、を有することが好ましい。
【０１１３】
後側レンズ群にも、少なくとも正レンズと負レンズを配置することで、後側レンズ群までの球面収差とコマ収差の発生を抑えることができる。その結果、良好な結像性能が得られる。なお、正レンズと負レンズを配置する順番は問わない。
【０１１４】
ところで、開口絞りは、後側レンズ群を構成する要素の一つとみなすことや、前側レンズ群や後側レンズ群とは独立した要素とみなすことができる。後者の場合、開口絞りは絞りユニットを構成する要素になる。
【０１１５】
また、本実施形態のレンズ系では、絞りユニットは、レンズを有していないことが好ましい。
【０１１６】
このようにすることで、前側レンズ群と後側レンズ群の間での製造誤差（チルト・シフト）の影響を減らすことができる。
【０１１７】
また、本実施形態のレンズ系では、絞りユニットはレンズを有さず、後側レンズ群の最も物体側に配置されていることが好ましい。
【０１１８】
このようにすることで、前側レンズ群と後側レンズ群の間での製造誤差（チルト・シフト）の影響を減らすことができる。
【０１１９】
また、本実施形態のレンズ系では、絞りユニットは、合焦レンズ群の像側に配置されていることが好ましい。
【０１２０】
前側レンズ群ではテレフォト構成による作用を強めつつ、前側レンズ群全体で正屈折力を持たせることが望ましい。これにより、後側レンズ群における屈折力の負担割合を減らすことができるので、レンズ系の全長を短縮できると共に、後側レンズ群で発生する収差を低減できる。その結果、良好な結像性能を確保できる。
【０１２１】
そこで、絞りユニットを独立した構成物とした場合、絞りユニットは、後側レンズ群の最も物体側に配置することが好ましい。あるいは、絞りユニットは、前側レンズ群の直後に配置することが好ましい。このようにすることで、絞りユニット（開口絞り）よりも像側のレンズ群において径を小径化できる。
【０１２２】
また、本実施形態のレンズ系では、絞りユニットは、前側レンズ群の直後に配置されていることが好ましい。
【０１２３】
前側レンズ群ではテレフォト構成による作用を強めつつ、前側レンズ群全体で正屈折力を持たせることが望ましい。これにより、後側レンズ群における屈折力の負担割合を減らすことができるので、レンズ系の全長を短縮できると共に、後側レンズ群で発生する収差を低減できる。その結果、良好な結像性能を確保できる。
【０１２４】
ここで、絞りユニットは、前側レンズ群の直後に配置することが好ましい。このようにすることで、絞りユニット（開口絞り）よりも像側のレンズ群において径を小径化できる。
【０１２５】
また、本実施形態の撮像装置は、光学系と、撮像面を持ち且つ光学系により撮像面上に形成された像を電気信号に変換する撮像素子と、を有し、光学系が上述の実施形態のいずれか一つの結像レンズ系であることを特徴とする。
【０１２６】
機動性に優れると共に、解像度の高い撮影が行える撮像装置を実現できる。
【０１２７】
上述の各構成は、複数を同時に満足することがより好ましい。
【０１２８】
また、各条件式について、下限値、上限値の何れかまたは双方を限定することで、その機能をより確実にできるので好ましい。
条件式（１）について、
下限値を０．６とすることがより好ましい。
上限値を１．５とすることがより好ましい。
条件式（２）について、
上限値を６．４、更には４．０、更には２．０とすることがより好ましい。
条件式（２’）について、
上限値を４．０、更には２．０とすることがより好ましい。
条件式（３）について、
下限値を０．２とすることがより好ましい。
上限値を０．４５、更には０．４とすることがより好ましい。
条件式（３’）について、
下限値を０．２、更には０．２７とすることがより好ましい。
条件式（４）について、
下限値を０．０５とすることがより好ましい。
上限値を０．２とすることがより好ましい。
条件式（５）について、
下限値を１．３とすることがより好ましい。
上限値を３．５とすることがより好ましい。
条件式（６）について、
下限値を２．５とすることがより好ましい。
上限値を６．５とすることがより好ましい。
条件式（７）について、
下限値を−４．５、更には−３．５とすることがより好ましい。
上限値を−１．２、更には−１．５とすることがより好ましい。
条件式（１０）について、
下限値を０．３５とすることがより好ましい。
上限値を１．０とすることがより好ましい。
【０１２９】
なお、上述の結像レンズ系や撮像装置は、複数の構成を同時に満足してもよい。このようにすることが、良好な結像レンズ系や撮像装置を得る上で好ましい。また、好ましい構成の組み合わせは任意である。また、各条件式について、より限定した条件式の数値範囲の上限値あるいは下限値のみを限定しても構わない。
【０１３０】
以下に、本発明に係る結像レンズ系の実施例を、図面に基づいて詳細に説明する。なお、この実施例によりこの発明が限定されるものではない。
【０１３１】
以下、結像レンズ系の実施例１〜５について説明する。実施例１〜５の無限遠物体合焦時のレンズ断面図を、それぞれ図１〜図３に示す。
【０１３２】
レンズ断面図において、第１レンズ群はＧ１、第２レンズ群はＧ２、開口絞り（明るさ絞り）はＳ、第３レンズ群はＧ３、第４レンズ群はＧ４、第５レンズ群はＧ５、像面はＩで示してある。なお、図示しないが、最終レンズ群と像面Ｉとの間に、ローパスフィルタを構成する平行平板や、電子撮像素子のカバーガラスが配置されていても良い。なお、平行平板の表面に、赤外光を制限する波長域制限コートを施しても良い。また、カバーガラスの表面に波長域制限用の多層膜を施してもよい。また、そのカバーガラスにローパスフィルタ作用を持たせるようにしてもよい。また、像面Ｉには、撮像素子が配置されている。
【０１３３】
各実施例では、結像レンズ系は、物体側から像側に順に、前側レンズ群ＧＦと、後側レンズ群ＧＲと、で構成されている。ここで、後側レンズ群ＧＲは開口絞りＳを含んでいる。しかしながら、結像レンズ系を、物体側から像側に順に、前側レンズ群ＧＦと、絞りユニットと、後側レンズ群ＧＲと、で構成しても良い。
【０１３４】
実施例１の結像レンズ系は、図１（ａ）に示すように、物体側から像側に順に、正屈折力を有する前側レンズ群ＧＦと、正屈折力を有する後側レンズ群ＧＲと、で構成されている。後側レンズ群ＧＲは開口絞りを含んでいる。なお、ｒ１５は開口絞りで、仮想面はない。
【０１３５】
前側レンズ群ＧＦは、物体側から像側に順に、正屈折力を有する第１レンズ群Ｇ１と、負屈折力を有する第２レンズ群Ｇ２と、で構成されている。後側レンズ群ＧＲは、正屈折力を有する第３レンズ群Ｇ３と、負屈折力を有する第４レンズ群Ｇ４と、正屈折力を有する第５レンズ群Ｇ５と、で構成されている。
【０１３６】
第１レンズ群Ｇ１は、両凸正レンズＬ１と、物体側に凸面を向けた正メニスカスレンズＬ２と、物体側に凸面を向けた負メニスカスレンズＬ３と、物体側に凸面を向けた負メニスカスレンズＬ４と、両凸正レンズＬ５と、両凸正レンズＬ６と、両凹負レンズＬ７と、で構成されている。ここで、正メニスカスレンズＬ２と負メニスカスレンズＬ３とが接合されている。また、負メニスカスレンズＬ４と正メニスカスレンズＬ５とが接合されている。また、両凸正レンズＬ６と両凹負レンズＬ７とが接合されている。
【０１３７】
また、第１−１副レンズ群は、両凸正レンズＬ１と、正メニスカスレンズＬ２と、負メニスカスレンズＬ３と、で構成されている。第１−２副レンズ群は、負メニスカスレンズＬ４と、両凸正レンズＬ５と、両凸正レンズＬ６と、両凹負レンズＬ７と、で構成されている。第１−１副レンズ群は正屈折力を有し、第１−２副レンズ群は負屈折力を有する。
【０１３８】
第２レンズ群Ｇ２は、両凸正レンズＬ８と、両凹負レンズＬ９と、で構成されている。ここで、両凸正レンズＬ８と両凹負レンズＬ９とが接合されている。第２レンズ群Ｇ２は合焦レンズ群であって、無限遠物体から近距離物体への合焦時に、光軸に沿って像側へ移動する。
【０１３９】
第３レンズ群Ｇ３は、物体側に凸面を向けた負メニスカスレンズＬ１０と、両凸正レンズＬ１１と、で構成されている。ここで、負メニスカスレンズＬ１０と両凸正レンズＬ１１とが接合されている。
【０１４０】
第４レンズ群Ｇ４は、両凸正レンズＬ１２と、両凹負レンズＬ１３と、両凹負レンズＬ１４と、で構成されている。ここで、両凸正レンズＬ１２と両凹負レンズＬ１３とが接合されている。第４レンズ群Ｇ４はブレ補正レンズ群であって、ブレ補正時、光軸方向とは異なる方向、例えば、光軸と直交する方向に移動する。
【０１４１】
第５レンズ群Ｇ５は、両凸正レンズＬ１５と、物体側に凸面を向けた負メニスカスレンズＬ１６と、物体側に凸面を向けた正メニスカスレンズＬ１７と、で構成されている。ここで、負メニスカスレンズＬ１６と正メニスカスレンズＬ１７とが接合されている。
【０１４２】
実施例２の結像レンズ系は、図１（ｂ）に示すように、物体側から像側に順に、正屈折力を有する前側レンズ群ＧＦと、正屈折力を有する後側レンズ群ＧＲと、で構成されている。後側レンズ群ＧＲは開口絞りを含んでいる。なお、ｒ１８は開口絞り、ｒ９、ｒ２９は仮想面である。
【０１４３】
前側レンズ群ＧＦは、物体側から像側に順に、正屈折力を有する第１レンズ群Ｇ１と、負屈折力を有する第２レンズ群Ｇ２と、で構成されている。後側レンズ群ＧＲは、正屈折力を有する第３レンズ群Ｇ３と、負屈折力を有する第４レンズ群Ｇ４と、正屈折力を有する第５レンズ群Ｇ５と、で構成されている。
【０１４４】
第１レンズ群Ｇ１は、物体側に凸面を向けた正メニスカスレンズＬ１と、両凸正レンズＬ２と、両凹負レンズＬ３と、物体側に凸面を向けた負メニスカスレンズＬ４と、物体側に凸面を向けた正メニスカスレンズＬ５と、両凸正レンズＬ６と、両凹負レンズＬ７と、で構成されている。ここで、両凸正レンズＬ２と両凹負レンズＬ３とが接合されている。また、負メニスカスレンズＬ４と正メニスカスレンズＬ５とが接合されている。また、両凸正レンズＬ６と両凹負レンズＬ７とが接合されている。
【０１４５】
また、第１−１副レンズ群は、正メニスカスレンズＬ１と、両凸正レンズＬ２と、両凹負レンズＬ３と、で構成されている。第１−２副レンズ群は、負メニスカスレンズＬ４と、正メニスカスレンズＬ５と、両凸正レンズＬ６と、両凹負レンズＬ７と、で構成されている。第１−１副レンズ群は正屈折力を有し、第１−２副レンズ群は負屈折力を有する。
【０１４６】
第２レンズ群Ｇ２は、両凸正レンズＬ８と、両凹負レンズＬ９と、で構成されている。ここで、両凸正レンズＬ８と両凹負レンズＬ９とが接合されている。第２レンズ群Ｇ２は合焦レンズ群であって、無限遠物体から近距離物体への合焦時に、光軸に沿って像側へ移動する。
【０１４７】
第３レンズ群Ｇ３は、物体側に凸面を向けた正メニスカスレンズＬ１０と、物体側に凸面を向けた負メニスカスレンズＬ１１と、両凸正レンズＬ１２と、で構成されている。ここで、負メニスカスレンズＬ１１と両凸正レンズＬ１２とが接合されている。開口絞りＳが、正メニスカスレンズＬ１０と負メニスカスレンズＬ１１との間に配置されている。
【０１４８】
第４レンズ群Ｇ４は、両凸正レンズＬ１３と、両凹負レンズＬ１４と、両凹負レンズＬ１５と、で構成されている。ここで、両凸正レンズＬ１３と両凹負レンズＬ１４とが接合されている。第４レンズ群Ｇ４はブレ補正レンズ群であって、ブレ補正時、光軸方向とは異なる方向、例えば、光軸と直交する方向に移動する。
【０１４９】
第５レンズ群Ｇ５は、両凸正レンズＬ１６と、物体側に凸面を向けた正メニスカスレンズＬ１７と、で構成されている。
【０１５０】
実施例３の結像レンズ系は、図２（ａ）に示すように、物体側から像側に順に、正屈折力を有する前側レンズ群ＧＦと、正屈折力を有する後側レンズ群ＧＲと、で構成されている。後側レンズ群ＧＲは開口絞りを含んでいる。なお、ｒ１９は開口絞りで、仮想面はｒ７、ｒ１１、ｒ１２である。
【０１５１】
前側レンズ群ＧＦは、物体側から像側に順に、正屈折力を有する第１レンズ群Ｇ１と、負屈折力を有する第２レンズ群Ｇ２と、で構成されている。後側レンズ群ＧＲは、正屈折力を有する第３レンズ群Ｇ３と、負屈折力を有する第４レンズ群Ｇ４と、正屈折力を有する第５レンズ群Ｇ５と、で構成されている。
【０１５２】
第１レンズ群Ｇ１は、両凸正レンズＬ１と、両凸正レンズＬ２と、両凹負レンズＬ３と、物体側に凸面を向けた負メニスカスレンズＬ４と、物体側に凸面を向けた正メニスカスレンズＬ５と、で構成されている。ここで、負メニスカスレンズＬ４と正メニスカスレンズＬ５とが接合されている。
【０１５３】
また、第１−１副レンズ群は、両凸正レンズＬ１と、両凸正レンズＬ２と、両凹負レンズＬ３と、で構成されている。第１−２副レンズ群は、負メニスカスレンズＬ４と、正メニスカスレンズＬ５と、で構成されている。第１−１副レンズ群は正屈折力を有し、第１−２副レンズ群は正屈折力を有する。
【０１５４】
第２レンズ群Ｇ２は、両凸正レンズＬ６と、両凹負レンズＬ７と、で構成されている。第２レンズ群Ｇ２は合焦レンズ群であって、無限遠物体から近距離物体への合焦時に、光軸に沿って像側へ移動する。
【０１５５】
第３レンズ群Ｇ３は、両凸正レンズＬ８と、物体側に凸面を向けた負メニスカスレンズＬ９と、物体側に凸面を向けた正メニスカスレンズＬ１０と、で構成されている。ここで、負メニスカスレンズＬ９と正メニスカスレンズＬ１０とが接合されている。開口絞りＳが、両凸正レンズＬ８と負メニスカスレンズＬ９との間に配置されている。
【０１５６】
第４レンズ群Ｇ４は、両凸正レンズＬ１１と、両凹負レンズＬ１２と、両凹負レンズＬ１３と、で構成されている。ここで、両凸正レンズＬ１１と両凹負レンズＬ１２とが接合されている。第４レンズ群Ｇ４はブレ補正レンズ群であって、ブレ補正時、光軸方向とは異なる方向、例えば、光軸と直交する方向に移動する。
【０１５７】
第５レンズ群Ｇ５は、両凸正レンズＬ１４と、物体側に凸面を向けた正メニスカスレンズＬ１５と、物体側に凸面を向けた正メニスカスレンズＬ１６と、で構成されている。
【０１５８】
実施例４の結像レンズ系は、図２（ｂ）に示すように、物体側から像側に順に、正屈折力を有する前側レンズ群ＧＦと、負屈折力を有する後側レンズ群ＧＲと、で構成されている。後側レンズ群ＧＲは開口絞りを含んでいる。なお、ｒ２２は開口絞りで、仮想面はｒ１、ｒ２、ｒ１３、ｒ１７、ｒ１８である。
【０１５９】
前側レンズ群ＧＦは、物体側から像側に順に、正屈折力を有する第１レンズ群Ｇ１と、負屈折力を有する第２レンズ群Ｇ２と、で構成されている。後側レンズ群ＧＲは、正屈折力を有する第３レンズ群Ｇ３と、負屈折力を有する第４レンズ群Ｇ４と、正屈折力を有する第５レンズ群Ｇ５と、で構成されている。
【０１６０】
第１レンズ群Ｇ１は、両凸正レンズＬ１と、物体側に凸面を向けた正メニスカスレンズＬ２と、両凹負レンズＬ３と、両凸正レンズＬ４と、物体側に凸面を向けた負メニスカスレンズＬ５と、物体側に凸面を向けた負メニスカスレンズＬ６と、物体側に凸面を向けた正メニスカスレンズＬ７と、で構成されている。ここで、負メニスカスレンズＬ６と正メニスカスレンズＬ７とが接合されている。
【０１６１】
また、第１−１副レンズ群は、両凸正レンズＬ１と、正メニスカスレンズＬ２と、両凹負レンズＬ３と、両凸正レンズＬ４と、負メニスカスレンズＬ５と、で構成されている。第１−２副レンズ群は、負メニスカスレンズＬ６と、正メニスカスレンズＬ７と、で構成されている。第１−１副レンズ群は正屈折力を有し、第１−２副レンズ群は正屈折力を有する。
【０１６２】
第２レンズ群Ｇ２は、両凸正レンズＬ８と、両凹負レンズＬ９と、で構成されている。ここで、両凸正レンズＬ８と両凹負レンズＬ９とが接合されている。第２レンズ群Ｇ２は合焦レンズ群であって、無限遠物体から近距離物体への合焦時に、光軸に沿って像側へ移動する。
【０１６３】
第３レンズ群Ｇ３は、物体側に凸面を向けた負メニスカスレンズＬ１０と、両凸正レンズＬ１１と、で構成されている。ここで、負メニスカスレンズＬ１０と両凸正レンズＬ１１とが接合されている。
【０１６４】
第４レンズ群Ｇ４は、両凸正レンズＬ１２と、両凹負レンズＬ１３と、両凹負レンズＬ１４と、で構成されている。ここで、両凸正レンズＬ１２と両凹負レンズＬ１３とが接合されている。第４レンズ群Ｇ４はブレ補正レンズ群であって、ブレ補正時、光軸方向とは異なる方向、例えば、光軸と直交する方向に移動する。
【０１６５】
第５レンズ群Ｇ５は、両凸正レンズＬ１５と、両凸正レンズＬ１６と、で構成されている。
【０１６６】
実施例５の結像レンズ系は、図３に示すように、物体側から像側に順に、正屈折力を有する前側レンズ群ＧＦと、負屈折力を有する後側レンズ群ＧＲと、で構成されている。後側レンズ群ＧＲは開口絞りを含んでいる。なお、ｒ１５は開口絞りで、仮想面はｒ１０である。
【０１６７】
前側レンズ群ＧＦは、物体側から像側に順に、正屈折力を有する第１レンズ群Ｇ１と、負屈折力を有する第２レンズ群Ｇ２と、で構成されている。後側レンズ群ＧＲは、正屈折力を有する第３レンズ群Ｇ３と、負屈折力を有する第４レンズ群Ｇ４と、正屈折力を有する第５レンズ群Ｇ５と、で構成されている。
【０１６８】
第１レンズ群Ｇ１は、両凸正レンズＬ１と、両凸正レンズＬ２と、両凹負レンズＬ３と、物体側に凸面を向けた負メニスカスレンズＬ４と、物体側に凸面を向けた正メニスカスレンズＬ５と、で構成されている。ここで、負メニスカスレンズＬ４と正メニスカスレンズＬ５とが接合されている。
【０１６９】
また、第１−１副レンズ群は、両凸正レンズＬ１と、両凸正レンズＬ２と、両凹負レンズＬ３と、で構成されている。第１−２副レンズ群は、負メニスカスレンズＬ４と、正メニスカスレンズＬ５と、で構成されている。第１−１副レンズ群は正屈折力を有し、第１−２副レンズ群は正屈折力を有する。
【０１７０】
第２レンズ群Ｇ２は、両凸正レンズＬ６と、両凹負レンズＬ７と、で構成されている。第２レンズ群Ｇ２は合焦レンズ群であって、無限遠物体から近距離物体への合焦時に、光軸に沿って像側へ移動する。
【０１７１】
第３レンズ群Ｇ３は、物体側に凸面を向けた負メニスカスレンズＬ８と、両凸正レンズＬ９と、で構成されている。ここで、負メニスカスレンズＬ８と両凸正レンズＬ９とが接合されている。
【０１７２】
第４レンズ群Ｇ４は、両凹負レンズＬ１０と、像側に凸面を向けた正メニスカスレンズＬ１１と、両凹負レンズＬ１２と、で構成されている。第４レンズ群Ｇ４はブレ補正レンズ群であって、ブレ補正時、光軸方向とは異なる方向、例えば、光軸と直交する方向に移動する。
【０１７３】
第５レンズ群Ｇ５は、物体側に凸面を向けた負メニスカスレンズＬ１３と、両凸正レンズＬ１４と、で構成されている。ここで、負メニスカスレンズＬ１３と両凸正レンズＬ１４とが接合されている。
【０１７４】
以下に、上記各実施例の数値データを示す。記号は上記の外、ｒは各レンズ面の曲率半径、ｄは各レンズ面間の間隔、ｎｄは各レンズのｄ線の屈折率、νｄは各レンズのアッベ数である。また、ｆは全系の焦点距離、ＦＮＯ．はＦナンバー、ωは半画角、ＩＨは像高、ＦＢはバックフォーカス、全長は、ズームレンズの最も物体側のレンズ面から最も像側のレンズ面までの距離である。なお、ＦＢ（バックフォーカス）は、レンズ最終面から近軸像面までの距離を空気換算して表したものである。また、各数値の長さの単位はｍｍ、角度の単位は°（度）である。
【０１７５】
また、無限遠は無限遠物体合焦時、近距離は近距離物体合焦時を表している。ここで、近距離の欄における数値は、至近距離物体合焦状態での値である。至近距離物体合焦状態での具体的な物像間距離は、実施例１、２、３、４、５では１．４ｍである。
【０１７６】
数値実施例１
単位  ｍｍ
面データ
面番号               r              d             nd              νd
1                 265.067          5.20         1.58913          61.14
2               -1490.468          1.00
3                  59.582         12.50         1.43875          94.93
4                 435.993          2.00         1.69680          55.53
5                 172.557         26.62
6                  57.861          2.00         1.77250          49.60
7                  33.305         13.30         1.43875          94.93
8               -2433.738          3.83
9                1376.956          5.40         1.62588          35.70
10                -79.834          1.50         1.79952          42.22
11                265.360          可変
12                405.447          2.00         1.80810          22.76
13              -4629.782          1.00         1.64000          60.08
14                 51.816          可変
15（絞り）           ∞            2.04
16                 43.323          1.76         1.84666          23.78
17                 28.126          4.81         1.48749          70.23
18               -260.562         12.64
19                 76.376          3.00         1.80518          25.42
20                -77.000          1.00         1.60300          65.44
21                 24.084          2.89
22                -57.663          1.20         1.83481          42.71
23                 64.994          3.50
24                 45.024          3.80         1.65100          56.16
25                -77.402          2.19
26                 40.470          1.50         1.75500          52.32
27                 19.851          4.50         1.56732          42.82
28                 80.023
像面                 ∞
各種データ
無限遠    近距離
ｆ             294.33
ＦＮＯ．         4.08
２ω（画角）     4.31
ＩＨ            11.15
ＦＢ            45.04
全長           213.64    213.64
d11             17.02     41.92
d14             30.40      5.50
【０１７７】
数値実施例２
単位  ｍｍ
面データ
面番号               r              d             nd              νd
1                 194.243          5.20         1.48749          70.23
2                1167.575          1.00
3                  70.800         12.40         1.43875          94.93
4               -1405.411          2.00         1.69100          54.82
5                 388.125         28.63
6                  70.749          2.00         1.78800          47.37
7                  39.267         11.00         1.43875          94.93
8                 412.816          0.00
9                    ∞            5.01
10                115.990          6.10         1.60342          38.03
11               -153.511          1.50         1.83481          42.71
12                146.105          可変
13                807.147          1.80         1.78472          25.68
14               -307.862          1.00         1.64000          60.08
15                 53.770          可変
16                 72.543          2.80         1.84666          23.78
17                150.000          2.40
18（絞り）           ∞            1.80
19                 66.610          1.00         1.84666          23.78
20                 28.500          4.24         1.51633          64.14
21               -237.459         15.51
22                126.318          3.00         1.80518          25.42
23                -65.633          1.00         1.60300          65.44
24                 24.000          3.25
25                -44.111          1.20         1.79952          42.22
26                197.168          3.50
27                 57.692          3.90         1.65100          56.16
28                -56.296         10.54
29                   ∞            2.00
30                140.002          3.00         1.67270          32.10
31                600.028
像面                 ∞
各種データ
無限遠    近距離
ｆ             291.95
ＦＮＯ．         4.05
２ω（画角）     4.36
ＩＨ            11.15
ＦＢ            40.77
全長           228.55    228.55
d12             21.14     47.50
d15             29.86      3.50
【０１７８】
数値実施例３
単位  ｍｍ
面データ
面番号               r              d             nd              νd
1                 231.456          5.60         1.48749          70.23
2                -784.109          1.00
3                  90.000         12.05         1.43875          94.93
4                -271.291          1.00
5                -294.655          2.00         1.72916          54.68
6                 781.057         35.27
7                    ∞            0.00
8                  71.571          2.00         1.81600          46.62
9                  45.000          8.13         1.43875          94.93
10                198.960          1.44
11                   ∞            2.50
12                   ∞            可変
13                231.285          2.30         1.92286          18.90
14               -914.014          0.90
15               -411.494          1.00         1.88300          40.76
16                 65.828          可変
17                 52.334          3.00         1.80100          34.97
18               -592.949          2.00
19（絞り）           ∞            1.85
20               1074.650          1.00         1.84666          23.78
21                 30.600          3.92         1.51633          64.14
22               2693.557         10.92
23                325.054          3.00         1.80518          25.42
24                -43.000          1.00         1.60300          65.44
25                 36.884          4.40
26                -88.302          1.20         1.83481          42.71
27                 49.112          3.50
28                 93.257          3.15         1.63930          44.87
29                -60.457          1.87
30                 37.180          1.99         1.51823          58.90
31                 57.000          0.00
32                 57.000          2.00         1.84666          23.78
33                 72.000 
像面                 ∞
各種データ
無限遠    近距離
ｆ             295.83
ＦＮＯ．         4.09
２ω（画角）     4.29
ＩＨ            11.15
ＦＢ            53.06
全長           228.91    228.91
d12             26.61     51.86
d16             29.25      4.00
【０１７９】
数値実施例４
単位  ｍｍ
面データ
面番号               r              d             nd              νd
1                    ∞            0.00
2                    ∞            0.00
3                 130.284          9.05         1.49700          81.54
4                -356.376          1.00
5                 112.132          7.00         1.49700          81.54
6                2019.924          3.12
7                -378.439          2.50         1.81600          46.62
8                 443.781          3.16
9                  84.662          8.81         1.49700          81.54
10              -2126.642          2.26
11                464.562          2.08         1.72916          54.68
12                135.009         17.92
13                   ∞            0.00
14                 72.538          2.00         1.72916          54.68
15                 36.937          7.80         1.43875          94.93
16                201.138          1.44
17                   ∞            2.50
18                   ∞            可変
19                669.312          2.46         1.84666          23.78
20               -146.217          1.09         1.81600          46.62
21                 63.670          可変
22（絞り）           ∞            1.26
23                107.461          1.00         1.84666          23.88
24                 33.036          3.90         1.60300          65.44
25               -103.883          6.71
26                121.257          4.00         1.80518          25.42
27                -39.538          1.00         1.75500          52.32
28                 28.312          4.40
29                -69.204          1.00         1.81600          46.62
30                 84.343          3.50
31                 81.637          2.68         1.62004          36.26
32                -88.059          1.77
33                 57.133          2.75         1.54814          45.79
34               -255.125
像面                 ∞
各種データ
無限遠    近距離
ｆ             294.28
ＦＮＯ．         4.08
２ω（画角）     4.30
ＩＨ            11.15
ＦＢ            47.81
全長           198.62    198.62
d18             16.52     35.15
d21             26.14      7.50
【０１８０】
数値実施例５
単位  ｍｍ
面データ
面番号               r              d             nd              νd
1                 159.069           7.25          1.48749        70.23
2               -1234.289          21.66
3                  81.413          12.50          1.43875        94.93
4                -204.639           0.50
5                -235.149           2.00          1.78590        44.20
6                 833.104          27.88
7                  61.034           2.00          1.71999        50.23
8                  35.478           8.53          1.43875        94.93
9                 205.759          10.00
10                   ∞             可変
11                343.549           3.00          1.92286        18.90
12               -135.982           0.50
13               -106.323           1.10          1.69895        30.13
14                 56.725           可変
15（絞り）           ∞             1.00
16                 81.892           1.00          1.85026        32.27
17                 33.821           4.29          1.48749        70.23
18                -74.649           2.25
19                -88.206           1.00          1.49700        81.54
20                110.546           2.30
21               -107.075           2.60          1.84666        23.78
22                -38.630           3.00
23                -43.284           1.50          1.77250        49.60
24                 48.410           5.00
25                 53.727           1.00          1.84666        23.78
26                 33.300           7.00          1.72047        34.71
27               -105.115 
像面                 ∞
各種データ
無限遠    近距離
ｆ             296.99
ＦＮＯ．        36.49
２ω（画角）     4.27
ＩＨ            11.15
ＦＢ            65.35
全長           229.40    229.40
d10              6.00     27.21
d14             29.21      8.00
【０１８１】
以上の実施例１〜５の収差図を、それぞれ図４〜図８に示す。各図中、”ＦＩＹ”は最大像高を示す。
【０１８２】
これらの収差図において、（ａ）、（ｂ）、（ｃ）、（ｄ）は、それぞれ、無限遠物体合焦時における球面収差（ＳＡ）、非点収差（ＡＳ）、歪曲収差（ＤＴ）、倍率色収差（ＣＣ）を示している。
【０１８３】
また、（ｅ）、（ｆ）、（ｇ）、（ｈ）は、それぞれ、近距離物体合焦時における球面収差（ＳＡ）、非点収差（ＡＳ）、歪曲収差（ＤＴ）、倍率色収差（ＣＣ）を示している。
【０１８４】
次に、各実施例における条件式（１）〜（１０）の値を掲げる。
条件式                    実施例１  実施例２  実施例３  実施例４  実施例５
(1)fFF/f                        1.16      1.41      1.34      0.81      0.80
(2),(2’)f/|r2Gb|               1.11      2.01      1.49      1.46      1.44
(3),(3’)|ffo|/f               -0.33     -0.33     -0.33     -0.30     -0.36
(4)fb/f                         0.15      0.14      0.18      0.16      0.22
(5)|MGISback×(MGIS-1)|         2.01      1.98      2.01      2         2
(6)|(MGfoback)2×{(MGfo)2-1}|   3.5       3.27      3.44      4.5       4.08
(7)fFF/ffo                     -3.50     -4.33     -4.12     -2.68     -2.21
(8)DG1/fG1                      0.51      0.50      0.45      0.56      0.66
(9)DG112/fG1                    0.19      0.19      0.24      0.15      0.22
(10)|fG1/ffo|                   1.47      1.57      1.54      1.35      1.16
【０１８５】
図９は、電子撮像装置としての一眼ミラーレスカメラの断面図である。図９において、一眼ミラーレスカメラ１の鏡筒内には撮影レンズ系２が配置される。マウント部３は、撮影レンズ系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０１８６】
そして、一眼ミラーレスカメラ１の撮影レンズ系２として、例えば上記実施例１〜５に示した本発明の結像レンズ系が用いられる。
【０１８７】
図１０、図１１は、本発明に係る撮像装置の構成の概念図を示す。図１０は撮像装置としてのデジタルカメラ４０の外観を示す前方斜視図、図１１は同後方斜視図である。このデジタルカメラ４０の撮影光学系４１に、本発明の結像レンズ系が用いられている。
【０１８８】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１の結像レンズ系を通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０１８９】
図１２は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０１９０】
図１２に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１９１】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１９２】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０１９３】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０１９４】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０１９５】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１９６】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０１９７】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１９８】
このように構成されたデジタルカメラ４０は、撮影光学系４１として本発明の結像レンズ系を採用することで、高い結像性能を維持したままで、光学系全体の小型化と重量の軽量化が可能になるため、機動性に優れると共に、解像度の高い撮影が行える。なお、本発明の結像レンズ系は、クイックリターンミラーを持つタイプの撮像装置にも用いることができる。
【産業上の利用可能性】
【０１９９】
以上のように、本発明に係る結像レンズ系では、光学系の全長の短縮と合焦レンズ群の軽量化が可能になるので、光学系全体の重量の軽量化が実現できる。また、合焦レンズ群の軽量化により、フォーカスユニットの小型化や軽量化が可能になる。このようなことから、本発明係る結像レンズ系は、機動性に優れると共に、収差が良好に補正された結像レンズ系に適している。特に、本発明に係る結像レンズ系は、望遠レンズ・超望遠レンズに有用である。また、本発明に係る撮像装置は、機動性に優れると共に、解像度の高い撮影が行える撮像装置に適している。
【符号の説明】
【０２００】
Ｇ１…第１レンズ群
Ｇ２…第２レンズ群
Ｇ３…第３レンズ群
Ｇ４…第４レンズ群
Ｇ５…第５レンズ群
Ｇ６…第６レンズ群
Ｓ…明るさ（開口）絞り
Ｉ…像面
１…一眼ミラーレスカメラ
２…撮影レンズ系
３…鏡筒のマウント部
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
【図１】
2015102810.tif 000003
【図２】
2015102810.tif 000004
【図３】
2015102810.tif 000005
【図４】
2015102810.tif 000006
【図５】
2015102810.tif 000007
【図６】
2015102810.tif 000008
【図７】
2015102810.tif 000009
【図８】
2015102810.tif 000010
【図９】
2015102810.tif 000011
【図１０】
2015102810.tif 000012
【図１１】
2015102810.tif 000013
【図１２】
2015102810.tif 000014